(57)【要約】【課題】ボルトに対するクリップの組み付け作業を容易にする。【解決手段】本発明のボルト用クリップ１０は、スタッドボルトＳＢに螺合するボルト孔４１を有するナット４０と、ナット４０を内部に収容するナット収容部５０と、ナット４０におけるボルト孔４１の孔縁部に設けられ、スタッドボルトＳＢと干渉することにより径方向外側に変位する規制片４４とを備え、ナット４０は、ナット収容部５０をスタッドボルトＳＢに組み付けることでスタッドボルトＳＢの軸線回りに回転してスタッドボルトＳＢに螺合するようになっており、規制片４４には規制突起４６が設けられ、ナット収容部５０には、スタッドボルトＳＢとナット４０が螺合した状態で規制突起４６が嵌り込むことによりナット４０の逆回転を規制する規制溝５８が設けられている構成としたところに特徴を有する。【選択図】図３
2012122530.tif 000002
【特許請求の範囲】
【請求項１】
被取付部材から突出されたボルトに取り付けられてワイヤハーネスを保持するボルト用クリップであって、
前記ボルトに螺合するボルト孔を有するナットと、
前記ナットを内部に収容するナット収容部と、
前記ナットにおける前記ボルト孔の孔縁部に設けられ、前記ボルトと干渉することにより径方向外側に変位する規制片とを備え、
前記ナットは、前記ナット収容部を前記ボルトに組み付けることで前記ボルトの軸線回りに回転して前記ボルトに螺合するようになっており、
前記規制片と前記ナット収容部との両対向部の一方には、同他方に向けて突出する突起が設けられ、同他方には、前記ボルトと前記ナットが螺合した状態で前記突起が嵌り込むことにより前記ナットの逆回転を規制する溝が設けられていることを特徴とするボルト用クリップ。
【請求項２】
前記突起は、前記規制片に設けられ、前記溝は、前記ナット収容部に設けられていることを特徴とする請求項１に記載のボルト用クリップ。
【請求項３】
前記ナットの外周面には、ガイド突部が突設され、前記ナット収容部の内周面には、前記ガイド突部と係合するガイド凹部が設けられ、このガイド凹部は前記ボルトの軸線方向に対して斜め方向に延出されていることを特徴とする請求項１または請求項２に記載のボルト用クリップ。
【請求項４】
前記ナット収容部は、可撓性のヒンジ部によって連結された一対の半割体からなることを特徴とする請求項１ないし請求項３のいずれか一項に記載のボルト用クリップ。
【請求項５】
前記規制片は、前記ナットに設けられていることを特徴とする請求項１ないし請求項４のいずれか一項に記載のボルト用クリップ。
【発明の詳細な説明】
【技術分野】
【０００１】
本発明は、被取付部材から突出されたボルトに取り付けられてワイヤハーネスを保持するボルト用クリップに関する。
【背景技術】
【０００２】
この種のボルト用クリップとして、例えば下記特許文献１に記載のものが知られている。このものは、ボルト（スタッドボルト）に圧入される中空部を有する連結具と、この連結具の外周側に嵌合することにより連結具がボルトから外れることを規制する筒体とを備えて構成されている。このようなクリップによると、まず、連結具の中空部をボルトに圧入状態で挿入し、次に、筒体を連結部に挿入することによってクリップがボルトに固定される。
【先行技術文献】
【特許文献】
【０００３】
【特許文献１】特開平９−２８０２２８号公報
【発明の概要】
【発明が解決しようとする課題】
【０００４】
しかしながら、上記のクリップでは、連結具をボルトに圧入する際の挿入力が大きいことは言うまでもなく、筒体を連結部に挿入する際の挿入力もそれなりに大きいものとなっている。また、連結具の挿入作業と筒体の挿入作業をそれぞれ行う必要があるため、ボルトに対するクリップの組み付け作業が容易ではない。
【０００５】
本発明は上記のような事情に基づいて完成されたものであって、ボルトに対するクリップの組み付け作業を容易にすることを目的とする。
【課題を解決するための手段】
【０００６】
本発明は、被取付部材から突出されたボルトに取り付けられてワイヤハーネスを保持するボルト用クリップであって、ボルトに螺合するボルト孔を有するナットと、ナットを内部に収容するナット収容部と、ナットにおけるボルト孔の孔縁部に設けられ、ボルトと干渉することにより径方向外側に変位する規制片とを備え、ナットは、ナット収容部をボルトに組み付けることでボルトの軸線回りに回転してボルトに螺合するようになっており、規制片とナット収容部との両対向部の一方には、同他方に向けて突出する突起が設けられ、同他方には、ボルトとナットが螺合した状態で突起が嵌り込むことによりナットの逆回転を規制する溝が設けられている構成としたところに特徴を有する。
【０００７】
このような構成によると、まず、ナット収容部をボルトに組み付けることでナットをボルトの軸線回りに回転させ、ボルトに螺合させる。そして、ナットがボルトに螺合した状態で突起が溝に嵌り込んでナットの逆回転を規制し、ナットがボルトに螺合した状態に保持される。このように、ナット収容部をボルトに組み付けるだけでナットが回転するから、大きな操作力を必要とせず、また、ナット収容部をボルトに組み付ける作業だけで完結させることができるから、ボルトに対するクリップの組み付け作業を容易にすることができる。
【０００８】
本発明の実施の態様として、以下の構成が好ましい。
突起は、規制片に設けられ、溝は、ナット収容部に設けられている構成としてもよい。
このような構成によると、規制片の突起がナット収容部の溝に嵌り込むことになる。
【０００９】
ナットの外周面には、ガイド突部が突設され、ナット収容部の内周面には、ガイド突部と係合するガイド凹部が設けられ、このガイド凹部はボルトの軸線方向に対して斜め方向に延出されている構成としてもよい。
このような構成によると、ナット収容部をボルトに組み付けることでガイド突部がガイド凹部に沿って移動する。このとき、ナット収容部が回転しないようにボルトの軸線方向に移動させることにより、ナットがボルトの軸線回りに回転し、ボルトに螺合することになる。
【００１０】
ナット収容部は、可撓性のヒンジ部によって連結された一対の半割体からなる構成としてもよい。
このような構成によると、一対の半割体によってナットを挟み込むようにして組み付けることができるため、ナットをナット収容部に組み付ける作業が容易になる。
【００１１】
規制片は、ナットに設けられている構成としてもよい。
通常、ボルトの径に合わせてボルト孔の径を設定するとともに、ボルトの径に合わせて規制片の寸法を設定することになる。したがって、ナットの種類を変更するだけで、ボルトの径に合ったボルト孔の径と規制片の寸法の双方を設定することができる。
【発明の効果】
【００１２】
本発明によれば、ボルトに対するクリップの組み付け作業を容易にすることができる。
【図面の簡単な説明】
【００１３】
【図１】クリップをボルトに組み付ける前の状態を示した斜視図
【図２】ナットをナット収容部に組み付ける前の状態を示した斜視図
【図３】クリップをボルトに組み付けた後の状態におけるナットの回り止め構造を斜め方向から見た断面図
【図４】ナットをボルトに螺合させる直前の状態を示した断面図
【図５】図４の状態からナット収容部をさらにボルトに挿入してナットをボルトに螺合させた状態を示した断面図
【発明を実施するための形態】
【００１４】
＜実施形態＞
本発明の実施形態を図１ないし図５の図面を参照しながら説明する。本実施形態におけるボルト用クリップ１０は、例えば車両のボディパネル（本発明の「被取付部材」の一例）ＢＰから突出するスタッドボルトＳＢに取り付けられるものである。以下において上下方向とは図４を基準とする。なお、本実施形態のスタッドボルトＳＢは、図１に示すように、ボディパネルＢＰの取付面に対して垂直となるように同取付面に溶接されている。
【００１５】
ボルト用クリップ１０は、合成樹脂製（例えば、ポリプロピレン）であって、図１に示すように、ワイヤハーネスを結束させるためのバンド部２０と、スタッドボルトＳＢに取り付けられるヘッド部３０とを備えて構成されている。
【００１６】
バンド部２０は、複数のワイヤハーネスを束ねることができる長さであって、ほぼ一定の幅寸法でヘッド部３０に連なっており、その厚みは可撓性を有するために薄肉となっている。バンド部２０の上面には結束する大きさを調節するための多数の係止凸部２１が並んで形成されている。
【００１７】
ヘッド部３０は、スタッドボルトＳＢに螺合するボルト孔４１を有するナット４０と、このナット４０を内部に収容するナット収容部５０とを備えて構成されている。
【００１８】
ナット収容部５０は、図２に示す一対の半割体５１，５１を互いに組み付けることによって円筒状をなすように構成されている。両半割体５１，５１は、可撓性を有するヒンジ部５２によって連結されている。一方の半割体５１におけるヒンジ部５２とは反対側の端部には、上下一対の可撓片５３が設けられている。他方の半割体５１におけるヒンジ部５２とは反対側の端部には、上下一対の保持突起５４が設けられている。両可撓片５３は、略Ｕ字状をなして片持ち状に延出されており、両保持突起５４が嵌り込む一対の保持孔５５を備えている。ヒンジ部５２を中心として両半割体５１，５１を組み付けると、両保持孔５５に両保持突起５４が嵌り込み、両可撓片５３と両保持突起５４が係止した状態に保持される。これにより、両半割体５１，５１が組み付いた状態に保持され、ナット収容部５０が円筒状に保持される。
【００１９】
各半割体５１の内周面には、ナット収容部５０の軸線方向に対して斜め方向に延びるガイド凹部５６がそれぞれ凹設されている。ガイド凹部５６は、上方に向かうほど反時計回り方向に向かう形態とされている。また、ガイド凹部５６は、半割体５１の周方向におけるほぼ中央に配置されている。ガイド凹部５６の下端は、半割体５１の下端近くに配置され、ガイド凹部５６の上端は、半割体５１の上端近くに配置されている。
【００２０】
各半割体５１の内周面の上部における周方向両端部には、一対の規制凹部５７，５７が対向状態で設けられている。規制凹部５７は、両半割体５１，５１の合わせ面と内周面とに開口する形態とされている。両半割体５１，５１の合わせ面同士を合わせるように両半割体５１，５１を組み付けると、両規制凹部５７，５７が連結されて両半割体５１，５１の内周面のみに開口する形態となる。このように両規制凹部５７，５７が連結されることによって、図１に示すような１つの規制溝５８が形成される。
【００２１】
ナット４０は、図２に示すように、円筒状をなすナット本体４２を有し、このナット本体４２の中心部を上下方向に貫通する形態でボルト孔４１が形成された構成とされている。ナット本体４２の外周面には、一対のガイド突部４３，４３が形成されている。両ガイド突部４３，４３は、ボルト孔４１の軸心に関して径方向に対称に配置されている。ガイド突部４３は、ナット本体４２の下端から上端に至る領域に形成されている。ガイド突部４３は、上方に向かうほど反時計回り方向に向かうリブ状に形成されている。
【００２２】
ガイド突部４３の幅寸法は、ガイド凹部５６の幅寸法と同じかこれよりやや小さめとされている。ガイド突部４３の傾斜角度と、ガイド凹部５６の傾斜角度とは、同じとされている。また、ナット本体４２の外周面は、ナット収容部５０の内周面に沿う形態とされている。ナット４０を両半割体５１，５１の内側に挟み込んで組み付けると、両ガイド突部４３，４３が両ガイド凹部５６，５６の下端位置に適合して嵌り込む。この状態からナット４０を上方に移動させると、両ガイド突部４３，４３と両ガイド凹部５６，５６との係合に基づくカム作用を発揮することで、両ガイド突部４３，４３が両ガイド凹部５６，５６の上端位置に移動するとともにナット４０が反時計回り方向に回転する。
【００２３】
また、ナット本体４２におけるボルト孔４１の孔縁部には、一対の規制片４４，４４が設けられている。両規制片４４，４４は、ナット本体４２において両ガイド突部４３を通る線と直交する位置にそれぞれ配置されている。規制片４４は、図４に示すように、断面略Ｔ字状をなし、その上端が径方向外側に変位可能に設けられている。すなわち、規制片４４の下端部における周方向両側は、ナット本体４２に対して可撓片（図示せず）によって連結されており、この可撓片が撓み変形することで規制片４４の下端部を基端として上端部が径方向外側に拡開変位するように構成されている。
【００２４】
規制片４４の上端部における径方向内側には、干渉部４５が設けられており、規制片４４の上端部における径方向外側には、規制突起４６が設けられている。図２に示すように、両規制片４４，４４の両干渉部４５，４５は、対向して配置されており、ボルト孔４１の内周面よりも径方向内側に張り出す形態とされている。一方、両規制片４４，４４の両規制突起４６，４６は、ナット本体４２の径方向においてナット本体４２の外周面からはみ出さない形態、換言すると、ナット本体４２の外周面と周方向に揃う形態とされている。
【００２５】
このため、ボルト孔４１にスタッドボルトＳＢを挿入すると、スタッドボルトＳＢが両干渉部４５，４５に干渉して両規制突起４６，４６がナット本体４２の外周面からはみ出すように変位することになる。これにより、両規制突起４６，４６は、図３に示すように、両ガイド突部４３，４３が両ガイド凹部５６，５６の上端位置にあるときに、両規制溝５８，５８に嵌り込む。さらに、両ガイド突部４３，４３が両ガイド凹部５６，５６の上端位置に保持されることで、両ガイド突部４３，４３が両ガイド凹部５６，５６に対して周方向に移動できなくなり、ナット４０の逆回転（時計回り方向の回転）が規制される。
【００２６】
本実施形態は以上のような構成であって、続いてその作用を説明する。まず、図２に示すように、ナット４０を両半割体５１，５１の内側に挟み込むようにしてナット収容部５０に組み付ける。次に、ナット収容部５０をスタッドボルトＳＢに組み付けると、図４に示すように、スタッドボルトＳＢの先端がボルト孔４１に進入し、両干渉部４５，４５に接触する。本実施形態では、スタッドボルトＳＢの先端がやや先細り形状とされており、両干渉部４５，４５がスタッドボルトＳＢの先端に干渉して始めて、ボルト孔４１の下端部がスタッドボルトＳＢに螺合するように設定されている。
【００２７】
続けてナット収容部５０を回転させないようにしてさらに押し込んでいくと、両ガイド突部４３，４３が両ガイド凹部５６，５６に沿ってその下端位置から上方へ移動し、ナット４０が反時計回り方向に回転することでスタッドボルトＳＢに螺合する。このため、ナット４０は、スタッドボルトＳＢの下側へ移動し、両干渉部４５，４５は、スタッドボルトＳＢと干渉することで径方向外側へ変位しようとする。しかしながら、両規制突起４６がナット収容部５０の内周面に接触して径方向外側への変位が規制されているため、両規制片４４，４４における干渉部４５から規制突起４６までの領域が弾性変形する。
【００２８】
そして、両ガイド突部４３，４３が両ガイド凹部５６，５６の上端位置に至ると、図５に示すように、両規制突起４６，４６が勢いよく両規制溝５８，５８に嵌り込み、両規制片４４，４４が弾性復帰する。この状態では、ナット収容部５０の下端は、ボディパネルＢＰの設置面に接触しており、ナット４０のボルト孔４１がスタッドボルトＳＢに螺合しているため、ナット４０がスタッドボルトＳＢに固定される。さらに、ナット収容部５０は、ナット４０によって保持されるため、ヘッド３０がスタッドボルトＳＢに取り付けられた状態に保持され、ボルト用クリップ１０がボディパネルＢＰに対して強固に固定される。
【００２９】
また、例えばワイヤハーネスが上下方向に振られるなどしてボルト用クリップ１０が上方に引っ張られた場合であっても、両規制突起４６，４６が両規制溝５８，５８に保持されて下方への移動が規制され、この結果両ガイド突部４３，４３が両ガイド凹部５６，５６の上端位置に保持されることで下方への移動が規制される。この状態では両ガイド突部４３，４３が両ガイド凹部５６，５６の上端位置にて周方向へ移動することが規制され、ナット４０の逆回転が規制される。このため、ナット４０が逆回転してスタッドボルトＳＢの螺合が解除されることはなく、ナット４０はスタッドボルトＳＢに固定されたまま保持される。
【００３０】
以上のように本実施形態では、ナット収容部５０をスタッドボルトＳＢに組み付けるだけでナット４０が反時計回り方向へ回転し、この回転によってナット４０がスタッドボルトＳＢに螺合するようにしているため、スタッドボルトＳＢに対するボルト用クリップ１０の組み付け作業を容易にすることができる。
【００３１】
また、両規制突起４６，４６が両規制溝５８，５８に嵌り込んでナット４０の逆回転が規制されるようになっているため、ボルト用クリップ１０が上方に引っ張られるなどしてもナット４０が逆回転してスタッドボルトＳＢから外れることはなく、ボルト用クリップ１０をスタッドボルトＳＢに強固に固定することができる。
【００３２】
さらに、ナット収容部５０を一対の半割体５１，５１によって構成したから、ナット４０をナット収容部５０に組み付ける作業が容易になる。ナット収容部５０に組み付けられたナット４０は、両ガイド突部４３，４３と両ガイド凹部５６，５６との係合に基づくカム作用によってナット収容部５０内を円滑に移動するため、大きな操作力を必要とすることなく、ナット収容部５０をスタッドボルトＳＢに対して容易に組み付けることができる。
【００３３】
＜他の実施形態＞
本発明は上記記述及び図面によって説明した実施形態に限定されるものではなく、例えば次のような実施形態も本発明の技術的範囲に含まれる。
（１）上記実施形態では規制突起４６を規制片４４に設け、規制溝５８をナット収容部５０に設けているものの、本発明によると、規制突起をナット収容部に設け、規制溝を規制片に設けてもよい。
【００３４】
（２）ガイド凹部の傾斜角度は、本実施形態よりも緩やかにしてもよく、例えば、ナット収容部５０の内周面においてらせん状に形成してもよい。
【００３５】
（３）上記実施形態では一対の半割体５１，５１によってナット収容部５０を構成しているものの、本発明によると、両半割体が一体に形成されたナット収容部としてもよく、その場合には、ガイド凹部がナット収容部の下端に開口するように形成することで、ナットを下方からナット収容部に組み付けることができる。
【００３６】
（４）上記実施形態では規制片４４がナット４０に設けられているものの、本発明によると、規制片をナット収容部に設けてもよい。
【符号の説明】
【００３７】
１０…ボルト用クリップ
４０…ナット
４１…ボルト孔
４３…ガイド突部
４４…規制片
４６…規制突起（突起）
５０…ナット収容部
５１…半割体
５２…ヒンジ部
５６…ガイド凹部
５８…規制溝（溝）
ＢＰ…ボディパネル（被取付部材）
ＳＢ…スタッドボルト（ボルト）
【図１】
2012122530.tif 000003
【図２】
2012122530.tif 000004
【図３】
2012122530.tif 000005
【図４】
2012122530.tif 000006
【図５】
2012122530.tif 000007